(57)【要約】【課題】本発明は自動消しゴムを開示した。【解決手段】本発明は自動消しゴムを公示し、外殻を含み、前記外殻の中には動力チャンバが設置され、前記動力チャンバの下端には作動チャンバが設置され、前記動力チャンバの上端壁にはモータが設置され、前記モータの中にはモータ軸が回転可能に連結され、前記モータ軸の下端と前記動力チャンバの下端壁とは回転可能に連結され、前記モータ軸には第一歯車と第一プーリとが固定的に設置され、本装置は消しゴムを固定してから自動的に回転させ、消しゴムの回転により間違った箇所を消し、手で消しゴムを使用する時に、間違って正しい箇所を消してしまう問題を克服し、同時に消しカスを吸い上げて集められる。【選択図】図１
2020179661.tif 000002
【特許請求の範囲】
【請求項１】
正面視で、外殻を含み、前記外殻の中には動力チャンバが設置され、前記動力チャンバの下端には作動チャンバが設置され、前記動力チャンバの上端壁にはモータが設置され、前記モータの中にはモータ軸が回転可能に連結され、前記モータ軸の下端と前記動力チャンバの下端壁とは回転可能に連結され、前記モータ軸には第一歯車と第一プーリとが固定的に設置され、前記動力チャンバの上下端壁には貫通軸が回転可能に連結され、前記貫通軸には第二プーリが固定的に設置され、前記第二プーリと前記第一プーリとの間には連結ベルトが連結され、前記貫通軸の下端は前記動力チャンバの下端壁を貫通し、且つ前記作動チャンバの中に位置し、さらに前記作動チャンバの上下端壁とは回転可能に連結され、前記貫通軸のうち前記作動チャンバにおける部分には長歯車が固定的に設置され、前記動力チャンバの下端壁には親ねじが回転可能に連結され、前記親ねじには第四プーリが固定的に設置され、前記親ねじは前記動力チャンバの下端壁を貫通し前記作動チャンバの中に入り、且つ前記作動チャンバの上下端壁と回転可能に連結され、前記親ねじのうち前記作動チャンバにおける部分にはネジ山ブロックがネジ山によって連結され、前記ネジ山ブロックの右端には昇降ブロックが固定的に設置され、前記昇降ブロックの中には底部溝が設置され、前記底部溝の外周にはリングギアが回転可能に連結され、前記リングギアと前記長歯車とは噛み合っており、前記リングギアの中には前記底部溝と連通した移動スライド溝が左右対称に設置され、前記移動スライド溝の中には移動ブロックがスライド可能に連結され、前記移動ブロックの中には位置制限溝が設置され、前記位置制限溝の中にはＩ型ブロックがスライド可能に連結され、前記Ｉ型ブロックと前記位置制限溝との間には位置制限ばねが連結され、前記昇降ブロックの下端面にはＴ型環状溝が設置され、二つの前記Ｉ型ブロックと前記Ｔ型環状溝とはスライド可能に連結され、前記移動ブロックのうち前記底部溝と近接した端には挟みブロックが固定的に設置され、前記挟みブロックには小型ボールがスライド可能に連結され、前記動力チャンバの上端にはファン溝が設置され、前記モータ軸の上端は前記ファン溝の中に位置し、且つ前記ファン溝の下端壁と回転可能に連結され、前記作動チャンバの下端には外部と連通した投入溝が設置され、前記モータ軸の上端には消しカスを集められるファンが固定的に設置され、前記ファン溝の下端壁には連通溝が設置され、前記連通溝の下端壁には収集空間が設置され、前記収集空間と前記ファン溝との間には消しカスを集められる収集装置が設置され、前記動力チャンバの上端壁には連結スライド溝が設置され、前記連結スライド溝と前記動力チャンバとの間には前記ネジ山ブロックの昇降を駆動できる連結装置が設置されていることを特徴とする自動消しゴム。
【請求項２】
記収集装置は前記ファン溝の中に固定的に装着された孔板を含み、前記収集装置の前後端壁にはトーションバネ軸が回転可能に連結され、前記トーションバネ軸にはトーションバネが固定的に設置され、前記トーションバネの一端と前記収集空間の後端壁とは固定的に連結され、前記トーションバネのもう一端にはトルク板が連結され、前記トルク板の中には通気できる濾過網が連結され、前記収集空間の下端壁には前記トルク板を引っ掛けられる引掛りブロックが設置されることを特徴とする請求項１に記載の自動消しゴム。
【請求項３】
前記連結装置は前記連結スライド溝の中にスライド可能に装着された連結ブロックを含み、前記連結ブロックの左端面にはスライド棒が固定的に設置され、前記スライド棒は前記連結スライド溝の左端壁と外殻の左端面とスライド可能に連結され、前記スライド棒の左端にはボタンが固定的に設置され、前記ボタンと前記外殻との間には復位ばねが連結され、前記連結ブロックの下端面には縦軸が回転可能に連結され、前記縦軸には第二歯車が固定的に設置され、前記第二歯車は前記第一歯車と噛み合うことができ、前記連結ブロックが右に移動する時に、前記第二歯車と前記第一歯車とが噛み合い、前記縦軸の下端には第三プーリあ固定的に設置され、前記第三プーリと前記第四プーリとの間には弾性ベルトが連結されることを特徴とする請求項１に記載の自動消しゴム。
【発明の詳細な説明】
【技術分野】
【０００１】
本発明は文具分野を取り上げ、具体的には自動消しゴムであ。
【背景技術】
【０００２】
消しゴムを使う時に、手で消しゴムを握り、摩擦を繰り返して、はじめて字を消せる。しかし、そういうやり方では消す必要のない箇所まで消す可能性があり、仕事の効率に響き、さらに、消しカスも処理しにくい。
【先行技術文献】
【特許文献】
【０００３】
【特許文献１】中国特許出願公開第１０４０７０８９８号明細書
【発明の概要】
【発明が解決しようとする課題】
【０００４】
本発明は自動消しゴムを提供し、既存技術にある上記の欠点を解消することを目的とする。
【課題を解決するための手段】
【０００５】
上記の目的を実現するため、以下の技術プランを提供する：本発明の自動消しゴムは、外殻を含み、前記外殻の中には動力チャンバが設置され、前記動力チャンバの下端には作動チャンバが設置され、前記動力チャンバの上端壁にはモータが設置され、前記モータの中にはモータ軸が回転可能に連結され、前記モータ軸の下端と前記動力チャンバの下端壁とは回転可能に連結され、前記モータ軸には第一歯車と第一プーリとが固定的に設置され、前記動力チャンバの上下端壁には貫通軸が回転可能に連結され、前記貫通軸には第二プーリが固定的に設置され、前記第二プーリと前記第一プーリとの間には連結ベルトが連結され、前記貫通軸の下端は前記動力チャンバの下端壁を貫通し、且つ前記作動チャンバの中に位置し、さらに前記作動チャンバの上下端壁とは回転可能に連結され、前記貫通軸のうち前記作動チャンバにおける部分には長歯車が固定的に設置され、前記動力チャンバの下端壁には親ねじが回転可能に連結され、前記親ねじには第四プーリが固定的に設置され、前記親ねじは前記動力チャンバの下端壁を貫通し前記作動チャンバの中に入り、且つ前記作動チャンバの上下端壁と回転可能に連結され、前記親ねじのうち前記作動チャンバにおける部分にはネジ山ブロックがネジ山によって連結され、前記ネジ山ブロックの右端には昇降ブロックが固定的に設置され、前記昇降ブロックの中には底部溝が設置され、前記底部溝の外周にはリングギアが回転可能に連結され、前記リングギアと前記長歯車とは噛み合っており、前記リングギアの中には前記底部溝と連通した移動スライド溝が左右対称に設置され、前記移動スライド溝の中には移動ブロックがスライド可能に連結され、前記移動ブロックの中には位置制限溝が設置され、前記位置制限溝の中にはＩ型ブロックがスライド可能に連結され、前記Ｉ型ブロックと前記位置制限溝との間には位置制限ばねが連結され、前記昇降ブロックの下端面にはＴ型環状溝が設置され、二つの前記Ｉ型ブロックと前記Ｔ型環状溝とはスライド可能に連結され、前記移動ブロックのうち前記底部溝と近接した端には挟みブロックが固定的に設置され、前記挟みブロックには小型ボールがスライド可能に連結され、前記動力チャンバの上端にはファン溝が設置され、前記モータ軸の上端は前記ファン溝の中に位置し、且つ前記ファン溝の下端壁と回転可能に連結され、前記作動チャンバの下端には外部と連通した投入溝が設置され、前記モータ軸の上端には消しカスを集められるファンが固定的に設置され、前記ファン溝の下端壁には連通溝が設置され、前記連通溝の下端壁には収集空間が設置され、前記収集空間と前記ファン溝との間には消しカスを集められる収集装置が設置され、前記動力チャンバの上端壁には連結スライド溝が設置され、前記連結スライド溝と前記動力チャンバとの間には前記ネジ山ブロックの昇降を駆動できる連結装置が設置されている。
【０００６】
優選的に、前記収集装置は前記ファン溝の中に固定的に装着された孔板を含み、前記収集装置の前後端壁にはトーションバネ軸が回転可能に連結され、前記トーションバネ軸にはトーションバネが固定的に設置され、前記トーションバネの一端と前記収集空間の後端壁とは固定的に連結され、前記トーションバネのもう一端にはトルク板が連結され、前記トルク板の中には通気できる濾過網が連結され、前記収集空間の下端壁には前記トルク板を引っ掛けられる引掛りブロックが設置される。
【０００７】
優選的に、前記連結装置は前記連結スライド溝の中にスライド可能に装着された連結ブロックを含み、前記連結ブロックの左端面にはスライド棒が固定的に設置され、前記スライド棒は前記連結スライド溝の左端壁と外殻の左端面とスライド可能に連結され、前記スライド棒の左端にはボタンが固定的に設置され、前記ボタンと前記外殻との間には復位ばねが連結され、前記連結ブロックの下端面には縦軸が回転可能に連結され、前記縦軸には第二歯車が固定的に設置され、前記第二歯車は前記第一歯車と噛み合うことができ、前記連結ブロックが右に移動する時に、前記第二歯車と前記第一歯車とが噛み合い、前記縦軸の下端には第三プーリあ固定的に設置され、前記第三プーリと前記第四プーリとの間には弾性ベルトが連結される。
【発明の効果】
【０００８】
本発明の有益な効果は：本装置は消しゴムを固定してから自動的に回転させ、消しゴムの回転により間違った箇所を消し、手で消しゴムを使用する時に、間違って正しい箇所を消してしまう問題を克服し、同時に消しカスを吸い上げて集められる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動消しゴムの全体断面の正面構成略図
【図２】図２は図１におけるＡのところの局部拡大図
【図３】図３は図１におけるＢのところの局部拡大図
【図４】図４は図１におけるリングギアの上面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられ、すなわち、特別な叙述がない限り、全ての特徴はただ一連の同等或いは類似する特徴の中の一つの例だけである。
【００１３】
図１〜４を参照し、本発明の自動消しゴムは、外殻２１を含み、前記外殻２１の中には動力チャンバ６７が設置され、前記動力チャンバ６７の下端には作動チャンバ３２が設置され、前記動力チャンバ６７の上端壁にはモータ６８が設置され、前記モータ６８の中にはモータ軸５９が回転可能に連結され、前記モータ軸５９の下端と前記動力チャンバ６７の下端壁とは回転可能に連結され、前記モータ軸５９には第一歯車５８と第一プーリ６１とが固定的に設置され、前記動力チャンバ６７の上下端壁には貫通軸３１が回転可能に連結され、前記貫通軸３１には第二プーリ５６が固定的に設置され、前記第二プーリ５６と前記第一プーリ６１との間には連結ベルト５７が連結され、前記貫通軸３１の下端は前記動力チャンバ６７の下端壁を貫通し、且つ前記作動チャンバ３２の中に位置し、さらに前記作動チャンバ３２の上下端壁とは回転可能に連結され、前記貫通軸３１のうち前記作動チャンバ３２における部分には長歯車３０が固定的に設置され、前記動力チャンバ６７の下端壁には親ねじ２７が回転可能に連結され、前記親ねじ２７には第四プーリ６４が固定的に設置され、前記親ねじ２７は前記動力チャンバ６７の下端壁を貫通し前記作動チャンバ３２の中に入り、且つ前記作動チャンバ３２の上下端壁と回転可能に連結され、前記親ねじ２７のうち前記作動チャンバ３２における部分にはネジ山ブロック２６がネジ山によって連結され、前記ネジ山ブロック２６の右端には昇降ブロック３８が固定的に設置され、前記昇降ブロック３８の中には底部溝３７が設置され、前記底部溝３７の外周にはリングギア３３が回転可能に連結され、前記リングギア３３と前記長歯車３０とは噛み合っており、前記リングギア３３の中には前記底部溝３７と連通した移動スライド溝４４が左右対称に設置され、前記移動スライド溝４４の中には移動ブロック３４がスライド可能に連結され、前記移動ブロック３４の中には位置制限溝４１が設置され、前記位置制限溝４１の中にはＩ型ブロック３６がスライド可能に連結され、前記Ｉ型ブロック３６と前記位置制限溝４１との間には位置制限ばね４２が連結され、前記昇降ブロック３８の下端面にはＴ型環状溝３５が設置され、二つの前記Ｉ型ブロック３６と前記Ｔ型環状溝３５とはスライド可能に連結され、前記移動ブロック３４のうち前記底部溝３７と近接した端には挟みブロック４０が固定的に設置され、前記挟みブロック４０には小型ボール３９がスライド可能に連結され、前記動力チャンバ６７の上端にはファン溝２５が設置され、前記モータ軸５９の上端は前記ファン溝２５の中に位置し、且つ前記ファン溝２５の下端壁と回転可能に連結され、前記作動チャンバ３２の下端には外部と連通した投入溝２８が設置され、前記モータ軸５９の上端には消しカスを集められるファン２３が固定的に設置され、前記ファン溝２５の下端壁には連通溝５０が設置され、前記連通溝５０の下端壁には収集空間６０が設置され、前記収集空間６０と前記ファン溝２５との間には消しカスを集められる収集装置１０１が設置され、前記動力チャンバ６７の上端壁には連結スライド溝４９が設置され、前記連結スライド溝４９と前記動力チャンバ６７との間には前記ネジ山ブロック２６の昇降を駆動できる連結装置１０２が設置されている。
【００１４】
前記収集装置１０１は前記ファン溝２５の中に固定的に装着された孔板２４を含み、前記収集装置６０の前後端壁にはトーションバネ軸５３が回転可能に連結され、前記トーションバネ軸５３にはトーションバネ５２が固定的に設置され、前記トーションバネ５２の一端と前記収集空間６０の後端壁とは固定的に連結され、前記トーションバネ５２のもう一端にはトルク板５１が連結され、前記トルク板５１の中には通気できる濾過網５４が連結され、前記収集空間６０の下端壁には前記トルク板５１を引っ掛けられる引掛りブロック５５が設置され、使用時には前記トルク板５１を左に押し動かし、それにより、前記トルク板５１を回転させ、前記収集空間６０の中の消しカスを捨てられる。  
【００１５】
前記連結装置１０２は前記連結スライド溝４９の中にスライド可能に装着された連結ブロック４８を含み、前記連結ブロック４８の左端面にはスライド棒４７が固定的に設置され、前記スライド棒４７は前記連結スライド溝４９の左端壁と外殻２１の左端面とスライド可能に連結され、前記スライド棒４７の左端にはボタン４５が固定的に設置され、前記ボタン４５と前記外殻２１との間には復位ばね４６が連結され、前記連結ブロック４８の下端面には縦軸６５が回転可能に連結され、前記縦軸６５には第二歯車６６が固定的に設置され、前記第二歯車６６は前記第一歯車５８と噛み合うことができ、前記連結ブロック４８が右に移動する時に、前記第二歯車６６と前記第一歯車５８とが噛み合い、前記縦軸６５の下端には第三プーリ６２あ固定的に設置され、前記第三プーリ６２と前記第四プーリ６４との間には弾性ベルト６３が連結され、使用時には、前記ボタン４５を押し、それにより、前記スライド棒４７と前記連結ブロック４８とを右に移動連動させ、それにより前記第二歯車６６と前記第一歯車５８とを噛み合わせる。
【００１６】
使用時には、まず消しゴムを投入溝２８に挿入して底部溝３７の中に滑らせ、そして挟みブロック４０によって消しゴムは挟まれ、文字などを消す時に、モータ６８を起動し、それによりモータ軸５９の回転を連動させ、さらに第一プーリ６１と、第二プーリ５６と、貫通軸３１と、長歯車３０と、リングギア３３と、移動ブロック３４と、挟みブロック４０との回転を連動させ、それにより消しゴムの回転を連動させ、間違った箇所を小範囲で消すことができ、間違って正しい箇所を消してしまうことを防げ、消すことを終えた後、外殻２１を反転させ、モータ軸５９はファン２３の回転を連動させ、それにより、消しカスは孔板２４からファン溝２５の中に吸い込まれて収集空間６０の中に入り、風はファン溝２５から入り、濾過網５４から出て、底端の消しカスが使い切った時に、ボタン４５を押し、それにより、スライド棒４７と連結ブロック４８とを右に移動連動させ、それにより第二歯車６６と第一歯車５８とを噛み合わせ、第一歯車５８は第二プーリ５６と縦軸６５との回転を連動させ、第三プーリ６２に第四プーリ６４と親ねじ２７との回転を連動させ、それによりネジ山ブロック２６と昇降ブロック３８を下に移動連動させ、それにより消しゴムを下に移動連動させる。
【００１７】
本発明の有益な効果は：本装置は消しゴムを固定してから自動的に回転させ、消しゴムの回転により間違った箇所を消し、手で消しゴムを使用する時に、間違って正しい箇所を消してしまう問題を克服し、同時に消しカスを吸い上げて集められる。
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。そのため、本発明の保護範囲は権利要求書が限定された保護範囲を標準とすべきである。
【図１】
2020179661.tif 000003
【図２】
2020179661.tif 000004
【図３】
2020179661.tif 000005
【図４】
2020179661.tif 000006
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の中には動力チャンバが設置され、前記動力チャンバの下端には作動チャンバが設置され、前記動力チャンバの上端壁にはモータが設置され、前記モータの中にはモータ軸が回転可能に連結され、前記モータ軸の下端と前記動力チャンバの下端壁とは回転可能に連結され、前記モータ軸には第一歯車と第一プーリとが固定的に設置され、前記動力チャンバの上下端壁には貫通軸が回転可能に連結され、前記貫通軸には第二プーリが固定的に設置され、前記第二プーリと前記第一プーリとの間には連結ベルトが連結され、前記貫通軸の下端は前記動力チャンバの下端壁を貫通し、且つ前記作動チャンバの中に位置し、さらに前記作動チャンバの上下端壁とは回転可能に連結され、前記貫通軸のうち前記作動チャンバにおける部分には長歯車が固定的に設置され、前記動力チャンバの下端壁には親ねじが回転可能に連結され、前記親ねじには第四プーリが固定的に設置され、前記親ねじは前記動力チャンバの下端壁を貫通し前記作動チャンバの中に入り、且つ前記作動チャンバの上下端壁と回転可能に連結され、前記親ねじのうち前記作動チャンバにおける部分にはネジ山ブロックがネジ山によって連結され、前記ネジ山ブロックの右端には昇降ブロックが固定的に設置され、前記昇降ブロックの中には底部溝が設置され、前記底部溝の外周にはリングギアが回転可能に連結され、前記リングギアと前記長歯車とは噛み合っており、前記リングギアの中には前記底部溝と連通した移動スライド溝が左右対称に設置され、前記移動スライド溝の中には移動ブロックがスライド可能に連結され、前記移動ブロックの中には位置制限溝が設置され、前記位置制限溝の中にはＩ型ブロックがスライド可能に連結され、前記Ｉ型ブロックと前記位置制限溝との間には位置制限ばねが連結され、前記昇降ブロックの下端面にはＴ型環状溝が設置され、二つの前記Ｉ型ブロックと前記Ｔ型環状溝とはスライド可能に連結され、前記移動ブロックのうち前記底部溝と近接した端には挟みブロックが固定的に設置され、前記挟みブロックには小型ボールがスライド可能に連結され、前記動力チャンバの上端にはファン溝が設置され、前記モータ軸の上端は前記ファン溝の中に位置し、且つ前記ファン溝の下端壁と回転可能に連結され、前記作動チャンバの下端には外部と連通した投入溝が設置され、前記モータ軸の上端には消しカスを集められるファンが固定的に設置され、前記ファン溝の下端壁には連通溝が設置され、前記連通溝の下端壁には収集空間が設置され、前記収集空間と前記ファン溝との間には消しカスを集められる収集装置が設置され、前記動力チャンバの上端壁には連結スライド溝が設置され、前記連結スライド溝と前記動力チャンバとの間には前記ネジ山ブロックの昇降を駆動できる連結装置が設置されており、
前記収集装置は前記ファン溝の中に固定的に装着された孔板を含み、前記収集装置の前後端壁にはトーションバネ軸が回転可能に連結され、前記トーションバネ軸にはトーションバネが固定的に設置され、前記トーションバネの一端と前記収集空間の後端壁とは固定的に連結され、前記トーションバネのもう一端にはトルク板が連結され、前記トルク板の中には通気できる濾過網が連結され、前記収集空間の下端壁には前記トルク板を引っ掛けられる引掛りブロックが設置されており、
前記連結装置は前記連結スライド溝の中にスライド可能に装着された連結ブロックを含み、前記連結ブロックの左端面にはスライド棒が固定的に設置され、前記スライド棒は前記連結スライド溝の左端壁と外殻の左端面とスライド可能に連結され、前記スライド棒の左端にはボタンが固定的に設置され、前記ボタンと前記外殻との間には復位ばねが連結され、前記連結ブロックの下端面には縦軸が回転可能に連結され、前記縦軸には第二歯車が固定的に設置され、前記第二歯車は前記第一歯車と噛み合うことができ、前記連結ブロックが右に移動する時に、前記第二歯車と前記第一歯車とが噛み合い、前記縦軸の下端には第三プーリが固定的に設置され、前記第三プーリと前記第四プーリとの間には弾性ベルトが連結されることを特徴とする自動消しゴム。
【手続補正２】
【補正対象書類名】明細書
【補正対象項目名】全文
【補正方法】変更
【補正の内容】
【発明の詳細な説明】
【技術分野】
【０００１】
本発明は文具分野を取り上げ、具体的には自動消しゴムであ。
【背景技術】
【０００２】
消しゴムを使う時に、手で消しゴムを握り、摩擦を繰り返して、はじめて字を消せる。しかし、そういうやり方では消す必要のない箇所まで消す可能性があり、仕事の効率に響き、さらに、消しカスも処理しにくい。
【先行技術文献】
【特許文献】
【０００３】
【特許文献１】中国特許出願公開第１０４０７０８９８号明細書
【発明の概要】
【発明が解決しようとする課題】
【０００４】
本発明は自動消しゴムを提供し、既存技術にある上記の欠点を解消することを目的とする。
【課題を解決するための手段】
【０００５】
上記の目的を実現するため、以下の技術プランを提供する：本発明の自動消しゴムは、外殻を含み、前記外殻の中には動力チャンバが設置され、前記動力チャンバの下端には作動チャンバが設置され、前記動力チャンバの上端壁にはモータが設置され、前記モータの中にはモータ軸が回転可能に連結され、前記モータ軸の下端と前記動力チャンバの下端壁とは回転可能に連結され、前記モータ軸には第一歯車と第一プーリとが固定的に設置され、前記動力チャンバの上下端壁には貫通軸が回転可能に連結され、前記貫通軸には第二プーリが固定的に設置され、前記第二プーリと前記第一プーリとの間には連結ベルトが連結され、前記貫通軸の下端は前記動力チャンバの下端壁を貫通し、且つ前記作動チャンバの中に位置し、さらに前記作動チャンバの上下端壁とは回転可能に連結され、前記貫通軸のうち前記作動チャンバにおける部分には長歯車が固定的に設置され、前記動力チャンバの下端壁には親ねじが回転可能に連結され、前記親ねじには第四プーリが固定的に設置され、前記親ねじは前記動力チャンバの下端壁を貫通し前記作動チャンバの中に入り、且つ前記作動チャンバの上下端壁と回転可能に連結され、前記親ねじのうち前記作動チャンバにおける部分にはネジ山ブロックがネジ山によって連結され、前記ネジ山ブロックの右端には昇降ブロックが固定的に設置され、前記昇降ブロックの中には底部溝が設置され、前記底部溝の外周にはリングギアが回転可能に連結され、前記リングギアと前記長歯車とは噛み合っており、前記リングギアの中には前記底部溝と連通した移動スライド溝が左右対称に設置され、前記移動スライド溝の中には移動ブロックがスライド可能に連結され、前記移動ブロックの中には位置制限溝が設置され、前記位置制限溝の中にはＩ型ブロックがスライド可能に連結され、前記Ｉ型ブロックと前記位置制限溝との間には位置制限ばねが連結され、前記昇降ブロックの下端面にはＴ型環状溝が設置され、二つの前記Ｉ型ブロックと前記Ｔ型環状溝とはスライド可能に連結され、前記移動ブロックのうち前記底部溝と近接した端には挟みブロックが固定的に設置され、前記挟みブロックには小型ボールがスライド可能に連結され、前記動力チャンバの上端にはファン溝が設置され、前記モータ軸の上端は前記ファン溝の中に位置し、且つ前記ファン溝の下端壁と回転可能に連結され、前記作動チャンバの下端には外部と連通した投入溝が設置され、前記モータ軸の上端には消しカスを集められるファンが固定的に設置され、前記ファン溝の下端壁には連通溝が設置され、前記連通溝の下端壁には収集空間が設置され、前記収集空間と前記ファン溝との間には消しカスを集められる収集装置が設置され、前記動力チャンバの上端壁には連結スライド溝が設置され、前記連結スライド溝と前記動力チャンバとの間には前記ネジ山ブロックの昇降を駆動できる連結装置が設置されている。
【０００６】
優選的に、前記収集装置は前記ファン溝の中に固定的に装着された孔板を含み、前記収集装置の前後端壁にはトーションバネ軸が回転可能に連結され、前記トーションバネ軸にはトーションバネが固定的に設置され、前記トーションバネの一端と前記収集空間の後端壁とは固定的に連結され、前記トーションバネのもう一端にはトルク板が連結され、前記トルク板の中には通気できる濾過網が連結され、前記収集空間の下端壁には前記トルク板を引っ掛けられる引掛りブロックが設置される。
【０００７】
優選的に、前記連結装置は前記連結スライド溝の中にスライド可能に装着された連結ブロックを含み、前記連結ブロックの左端面にはスライド棒が固定的に設置され、前記スライド棒は前記連結スライド溝の左端壁と外殻の左端面とスライド可能に連結され、前記スライド棒の左端にはボタンが固定的に設置され、前記ボタンと前記外殻との間には復位ばねが連結され、前記連結ブロックの下端面には縦軸が回転可能に連結され、前記縦軸には第二歯車が固定的に設置され、前記第二歯車は前記第一歯車と噛み合うことができ、前記連結ブロックが右に移動する時に、前記第二歯車と前記第一歯車とが噛み合い、前記縦軸の下端には第三プーリが固定的に設置され、前記第三プーリと前記第四プーリとの間には弾性ベルトが連結される。
【発明の効果】
【０００８】
本発明の有益な効果は：本装置は消しゴムを固定してから自動的に回転させ、消しゴムの回転により間違った箇所を消し、手で消しゴムを使用する時に、間違って正しい箇所を消してしまう問題を克服し、同時に消しカスを吸い上げて集められる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動消しゴムの全体断面の正面構成略図
【図２】図２は図１におけるＡのところの局部拡大図
【図３】図３は図１におけるＢのところの局部拡大図
【図４】図４は図１におけるリングギアの上面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられ、すなわち、特別な叙述がない限り、全ての特徴はただ一連の同等或いは類似する特徴の中の一つの例だけである。
【００１３】
図１〜４を参照し、本発明の自動消しゴムは、外殻２１を含み、前記外殻２１の中には動力チャンバ６７が設置され、前記動力チャンバ６７の下端には作動チャンバ３２が設置され、前記動力チャンバ６７の上端壁にはモータ６８が設置され、前記モータ６８の中にはモータ軸５９が回転可能に連結され、前記モータ軸５９の下端と前記動力チャンバ６７の下端壁とは回転可能に連結され、前記モータ軸５９には第一歯車５８と第一プーリ６１とが固定的に設置され、前記動力チャンバ６７の上下端壁には貫通軸３１が回転可能に連結され、前記貫通軸３１には第二プーリ５６が固定的に設置され、前記第二プーリ５６と前記第一プーリ６１との間には連結ベルト５７が連結され、前記貫通軸３１の下端は前記動力チャンバ６７の下端壁を貫通し、且つ前記作動チャンバ３２の中に位置し、さらに前記作動チャンバ３２の上下端壁とは回転可能に連結され、前記貫通軸３１のうち前記作動チャンバ３２における部分には長歯車３０が固定的に設置され、前記動力チャンバ６７の下端壁には親ねじ２７が回転可能に連結され、前記親ねじ２７には第四プーリ６４が固定的に設置され、前記親ねじ２７は前記動力チャンバ６７の下端壁を貫通し前記作動チャンバ３２の中に入り、且つ前記作動チャンバ３２の上下端壁と回転可能に連結され、前記親ねじ２７のうち前記作動チャンバ３２における部分にはネジ山ブロック２６がネジ山によって連結され、前記ネジ山ブロック２６の右端には昇降ブロック３８が固定的に設置され、前記昇降ブロック３８の中には底部溝３７が設置され、前記底部溝３７の外周にはリングギア３３が回転可能に連結され、前記リングギア３３と前記長歯車３０とは噛み合っており、前記リングギア３３の中には前記底部溝３７と連通した移動スライド溝４４が左右対称に設置され、前記移動スライド溝４４の中には移動ブロック３４がスライド可能に連結され、前記移動ブロック３４の中には位置制限溝４１が設置され、前記位置制限溝４１の中にはＩ型ブロック３６がスライド可能に連結され、前記Ｉ型ブロック３６と前記位置制限溝４１との間には位置制限ばね４２が連結され、前記昇降ブロック３８の下端面にはＴ型環状溝３５が設置され、二つの前記Ｉ型ブロック３６と前記Ｔ型環状溝３５とはスライド可能に連結され、前記移動ブロック３４のうち前記底部溝３７と近接した端には挟みブロック４０が固定的に設置され、前記挟みブロック４０には小型ボール３９がスライド可能に連結され、前記動力チャンバ６７の上端にはファン溝２５が設置され、前記モータ軸５９の上端は前記ファン溝２５の中に位置し、且つ前記ファン溝２５の下端壁と回転可能に連結され、前記作動チャンバ３２の下端には外部と連通した投入溝２８が設置され、前記モータ軸５９の上端には消しカスを集められるファン２３が固定的に設置され、前記ファン溝２５の下端壁には連通溝５０が設置され、前記連通溝５０の下端壁には収集空間６０が設置され、前記収集空間６０と前記ファン溝２５との間には消しカスを集められる収集装置１０１が設置され、前記動力チャンバ６７の上端壁には連結スライド溝４９が設置され、前記連結スライド溝４９と前記動力チャンバ６７との間には前記ネジ山ブロック２６の昇降を駆動できる連結装置１０２が設置されている。
【００１４】
前記収集装置１０１は前記ファン溝２５の中に固定的に装着された孔板２４を含み、前記収集装置６０の前後端壁にはトーションバネ軸５３が回転可能に連結され、前記トーションバネ軸５３にはトーションバネ５２が固定的に設置され、前記トーションバネ５２の一端と前記収集空間６０の後端壁とは固定的に連結され、前記トーションバネ５２のもう一端にはトルク板５１が連結され、前記トルク板５１の中には通気できる濾過網５４が連結され、前記収集空間６０の下端壁には前記トルク板５１を引っ掛けられる引掛りブロック５５が設置され、使用時には前記トルク板５１を左に押し動かし、それにより、前記トルク板５１を回転させ、前記収集空間６０の中の消しカスを捨てられる。  
【００１５】
前記連結装置１０２は前記連結スライド溝４９の中にスライド可能に装着された連結ブロック４８を含み、前記連結ブロック４８の左端面にはスライド棒４７が固定的に設置され、前記スライド棒４７は前記連結スライド溝４９の左端壁と外殻２１の左端面とスライド可能に連結され、前記スライド棒４７の左端にはボタン４５が固定的に設置され、前記ボタン４５と前記外殻２１との間には復位ばね４６が連結され、前記連結ブロック４８の下端面には縦軸６５が回転可能に連結され、前記縦軸６５には第二歯車６６が固定的に設置され、前記第二歯車６６は前記第一歯車５８と噛み合うことができ、前記連結ブロック４８が右に移動する時に、前記第二歯車６６と前記第一歯車５８とが噛み合い、前記縦軸６５の下端には第三プーリ６２が固定的に設置され、前記第三プーリ６２と前記第四プーリ６４との間には弾性ベルト６３が連結され、使用時には、前記ボタン４５を押し、それにより、前記スライド棒４７と前記連結ブロック４８とを右に移動連動させ、それにより前記第二歯車６６と前記第一歯車５８とを噛み合わせる。
【００１６】
使用時には、まず消しゴムを投入溝２８に挿入して底部溝３７の中に滑らせ、そして挟みブロック４０によって消しゴムは挟まれ、文字などを消す時に、モータ６８を起動し、それによりモータ軸５９の回転を連動させ、さらに第一プーリ６１と、第二プーリ５６と、貫通軸３１と、長歯車３０と、リングギア３３と、移動ブロック３４と、挟みブロック４０との回転を連動させ、それにより消しゴムの回転を連動させ、間違った箇所を小範囲で消すことができ、間違って正しい箇所を消してしまうことを防げ、消すことを終えた後、外殻２１を反転させ、モータ軸５９はファン２３の回転を連動させ、それにより、消しカスは孔板２４からファン溝２５の中に吸い込まれて収集空間６０の中に入り、風はファン溝２５から入り、濾過網５４から出て、底端の消しカスが使い切った時に、ボタン４５を押し、それにより、スライド棒４７と連結ブロック４８とを右に移動連動させ、それにより第二歯車６６と第一歯車５８とを噛み合わせ、第一歯車５８は第二プーリ５６と縦軸６５との回転を連動させ、第三プーリ６２に第四プーリ６４と親ねじ２７との回転を連動させ、それによりネジ山ブロック２６と昇降ブロック３８を下に移動連動させ、それにより消しゴムを下に移動連動させる。
【００１７】
本発明の有益な効果は：本装置は消しゴムを固定してから自動的に回転させ、消しゴムの回転により間違った箇所を消し、手で消しゴムを使用する時に、間違って正しい箇所を消してしまう問題を克服し、同時に消しカスを吸い上げて集められる。
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。そのため、本発明の保護範囲は権利要求書が限定された保護範囲を標準とすべきである。